(57)【要約】【課題】  透明な樹脂基材に、鮮明で発色が優れ、耐久性が高い、インクジェットプリントによる装飾が施された装飾プレートを提供。【解決手段】  透明樹脂基材（Ａ）上に、透明な第１ＵＶ加工部（Ｂ）／インクジェットプリント部（Ｃ）／白色塗装部（Ｄ）の各層を形成してなる装飾プレートであって、  １）第１ＵＶ加工部（Ｂ）は、透明樹脂基材（Ａ）の裏面に紫外線硬化型塗料を塗布した後、紫外線照射下に硬化処理することにより形成される、  ２）インクジェットプリント部（Ｃ）は、第１ＵＶ加工部（Ｂ）上に、インクジェットプリント法により所定の文様状に付着形成される、  ３）白色塗装部（Ｄ）は、インクジェットプリント部（Ｃ）およびそれが形成されていない第１ＵＶ加工部（Ｂ）上に、白色塗料を塗布することにより形成される、ことを特徴とする装飾プレートによる。【選択図】  図１
2009034958.tif 000002
【特許請求の範囲】
【請求項１】
透明樹脂基材（Ａ）上に、透明な第１ＵＶ加工部（Ｂ）／インクジェットプリント部（Ｃ）／白色塗装部（Ｄ）の各層を形成してなる装飾プレートであって、
１）第１ＵＶ加工部（Ｂ）は、透明樹脂基材（Ａ）の裏面に紫外線硬化型塗料を塗布した後、紫外線照射下に硬化処理することにより形成される、
２）インクジェットプリント部（Ｃ）は、第１ＵＶ加工部（Ｂ）上に、インクジェットプリント法により所定の文様状に付着形成される、
３）白色塗装部（Ｄ）は、インクジェットプリント部（Ｃ）およびそれが形成されていない第１ＵＶ加工部（Ｂ）上に、白色塗料を塗布することにより形成される、
ことを特徴とする装飾プレート。
【請求項２】
白色塗装部（Ｄ）が、シルクプリントによるものであることを特徴とする請求項１に記載の装飾プレート。
【請求項３】
白色塗装部（Ｄ）が、紫外線硬化型塗料を塗布することにより構成されることを特徴とする請求項１に記載の装飾プレート。
【請求項４】
透明樹脂基材（Ａ）上に、透明な第１ＵＶ加工部（Ｂ）／インクジェットプリント部（Ｃ）／白色塗装部（Ｄ）／第２ＵＶ加工部（Ｅ）の各層を形成してなる装飾プレートであって、
１）第１ＵＶ加工部（Ｂ）は、透明樹脂基材（Ａ）の裏面に紫外線硬化型塗料を塗布した後、紫外線照射下に硬化処理することにより形成される、
２）インクジェットプリント部（Ｃ）は、第１ＵＶ加工部（Ｂ）上に、インクジェットプリント法により所定の文様状に付着形成される、
３）白色塗装部（Ｄ）は、インクジェットプリント部（Ｃ）およびそれが形成されていない第１ＵＶ加工部（Ｂ）上に、白色塗料を塗布することにより形成される、
４）第２ＵＶ加工部（Ｅ）は、白色塗装部（Ｄ）上に紫外線硬化型塗料を塗布した後、紫外線照射下に硬化処理することにより形成される、
ことを特徴とする装飾プレート。
【請求項５】
白色塗装部（Ｄ）が、シルクプリントによるものであることを特徴とする請求項４に記載の装飾プレート。
【請求項６】
前記透明樹脂基材が、ポリカーボネート製、アクリル製又はＡＢＳ製のプレートであることを特徴とする請求項１〜５のいずれか１項に記載の装飾プレート。
【請求項７】
携帯電話又はＰＨＳの外装パネル用であることを特徴とする請求項１〜６のいずれか１項に記載の装飾プレート。
【請求項８】
液晶画面の保護プレート用であることを特徴とする請求項１〜７のいずれか１項に記載の装飾プレート。
【発明の詳細な説明】
【技術分野】
【０００１】
本発明は、装飾プレートに関し、さらに詳しくは、透明な樹脂基材に、鮮明で発色が優れ、耐久性が高い、インクジェットプリントによる装飾が施された装飾プレートに関する。
【背景技術】
【０００２】
透明な樹脂基材に装飾が施された装飾プレートは、各種製品の外装体として用いられている。特に、携帯電話やＰＨＳ等の外装パネル、デジタル製品の液晶画面用のプレート等に多用されている。これらには、近年、高いデザイン性が要求されるようになり、同時に、鮮明で発色が優れ、耐久性の高い装飾が求められるようになってきた。
【０００３】
従来、透明な樹脂基材、例えばプレート形状の樹脂基材に印刷によって装飾を施す手法としては、シルクプリント、パットプリント、転写プリント、インクジェットプリント等が行われてきたが、以下のように、いずれにも問題点があり、経済性、鮮明度、優れた発色性及び耐久性等において、満足できる手法は存在しなかった。
【０００４】
例えば、主にシルクプリント、パットプリントは、４ｃカラー（写真画像等）やグラデーション等のプリントにはそもそも適していない。そのため、主に４ｃカラーのプリントには、転写プリントやインクジェットプリントが用いられている。
転写プリントは、フィルムを作りプレートに圧着させる手法であるが、気泡やダストの細かい調整が難しい。
【０００５】
一方、インクジェットプリントは、コンピュータによるデータを出力することにより直接プレートにプリントする手法であり、版が不要な無版印刷法であるため、版が必要な有版印刷法に比べて出来上がりが早く迅速に対応でき、小ロット対応が可能である等の利点により注目されている。例えば、特許文献１に開示されているように、各種製品に利用されている。
このように、インクジェットプリントによれば、色味の調整等は容易に行えるが、透明プレートにプリントする場合には、色が透けてしまい、デザインを鮮明に見せることが難しかった。また、インクジェットプリントは、通常、白基板にプリントすることが多いため、白色のプリントは出来ない。さらに、インクジェットプリントは、プリント自体の付着強度が弱いという問題点があった。
【０００６】
したがって、いずれの方法によっても、透明な樹脂基材に、鮮明で発色が優れ、耐久性が高く、デザイン性に優れた装飾を、経済的に施すことはできなかった。
【０００７】
【特許文献１】特開２００５−２１２１６８
【発明の開示】
【発明が解決しようとする課題】
【０００８】
本発明の目的は、上記従来技術の問題点に鑑み、透明な樹脂基材に、鮮明で発色が優れ、耐久性が高い、インクジェットプリントによる装飾が施された装飾プレートを提供することにある。
【課題を解決するための手段】
【０００９】
本発明者は、上記課題を解決するために鋭意検討を重ねた結果、透明樹脂基材（Ａ）の裏面に紫外線硬化型塗料を塗布した後、紫外線照射下に硬化処理することにより形成される第１ＵＶ加工部（Ｂ）、第１ＵＶ加工部（Ｂ）上に、インクジェットプリント法により所定の文様状に付着形成される、インクジェットプリント部（Ｃ）、インクジェットプリント部（Ｃ）およびそれが形成されていない第１ＵＶ加工部（Ｂ）上に、白色塗料を塗布することにより形成される白色塗装部（Ｄ）との構成とした装飾プレートを調製したところ、上記課題を解決でき、透明な樹脂基材に、鮮明で発色が優れ、耐久性が高い、インクジェットプリントによる装飾が施された装飾プレートが得られることを見出し、本発明を完成するに至った。
【００１０】
すなわち、本発明の第１の発明によれば、透明樹脂基材（Ａ）上に、透明な第１ＵＶ加工部（Ｂ）／インクジェットプリント部（Ｃ）／白色塗装部（Ｄ）の各層を形成してなる装飾プレートであって、
１）第１ＵＶ加工部（Ｂ）は、透明樹脂基材（Ａ）の裏面に紫外線硬化型塗料を塗布した後、紫外線照射下に硬化処理することにより形成される、
２）インクジェットプリント部（Ｃ）は、第１ＵＶ加工部（Ｂ）上に、インクジェットプリント法により所定の文様状に付着形成される、
３）白色塗装部（Ｄ）は、インクジェットプリント部（Ｃ）およびそれが形成されていない第１ＵＶ加工部（Ｂ）上に、白色塗料を塗布することにより形成される、
ことを特徴とする装飾プレートが提供される。
【００１１】
また、本発明の第２の発明によれば、第１の発明において、白色塗装部（Ｄ）が、シルクプリントによるものであることを特徴とする装飾プレートが提供される。
【００１２】
また、本発明の第３の発明によれば、第１の発明において、白色塗装部（Ｄ）が、紫外線硬化型塗料を塗布することにより構成されることを特徴とする装飾プレートが提供される。
【００１３】
また、本発明の第４の発明によれば、透明樹脂基材（Ａ）上に、透明な第１ＵＶ加工部（Ｂ）／インクジェットプリント部（Ｃ）／白色塗装部（Ｄ）／第２ＵＶ加工部（Ｅ）の各層を形成してなる装飾プレートであって、
１）第１ＵＶ加工部（Ｂ）は、透明樹脂基材（Ａ）の裏面に紫外線硬化型塗料を塗布した後、紫外線照射下に硬化処理することにより形成される、
２）インクジェットプリント部（Ｃ）は、第１ＵＶ加工部（Ｂ）上に、インクジェットプリント法により所定の文様状に付着形成される、
３）白色塗装部（Ｄ）は、インクジェットプリント部（Ｃ）およびそれが形成されていない第１ＵＶ加工部（Ｂ）上に、白色塗料を塗布することにより形成される、
４）第２ＵＶ加工部（Ｅ）は、白色塗装部（Ｄ）上に紫外線硬化型塗料を塗布した後、紫外線照射下に硬化処理することにより形成される、
ことを特徴とする装飾プレートが提供される。
【００１４】
また、本発明の第５の発明によれば、第４の発明において、白色塗装部（Ｄ）が、シルクプリントによるものであることを特徴とする装飾プレートが提供される。
【００１５】
また、本発明の第６の発明によれば、第１〜５のいずれかの発明において、前記透明樹脂基材が、ポリカーボネート製、アクリル製又はＡＢＳ製のプレートであることを特徴とする請求項１〜５のいずれか１項に記載の装飾プレート。であることを特徴とする装飾プレートが提供される。
【００１６】
また、本発明の第７の発明によれば、第１〜６のいずれかの発明において、携帯電話又はＰＨＳの外装パネル用であることを特徴とする装飾プレートが提供される。
【００１７】
また、本発明の第８の発明によれば、第１〜７のいずれかの発明において、液晶画面の保護プレート用であることを特徴とする装飾プレートが提供される。
【発明の効果】
【００１８】
本発明によれば、これまで得られなかった、透明な樹脂基材に、鮮明で発色が優れ、耐久性が高い、インクジェットプリントによる装飾が施された装飾プレートを得ることができる。また、インクジェットプリントによる装飾であるため、今までのプリント方式では成しえなかった、デザイン性に優れた装飾を経済的に施した装飾プレートを提供することができる。
したがって、本発明による装飾プレートは、特に、近年需要が増大している携帯電話又はＰＨＳの外装パネルや、液晶画面の保護プレートとして好適に用いることができる。
【発明を実施するための最良の形態】
【００１９】
本発明は、透明樹脂基材（Ａ）上に、透明な第１ＵＶ加工部（Ｂ）／インクジェットプリント部（Ｃ）／白色塗装部（Ｄ）の各層を形成してなる装飾プレートであって、
１）第１ＵＶ加工部（Ｂ）は、透明樹脂基材（Ａ）の裏面に紫外線硬化型塗料を塗布した後、紫外線照射下に硬化処理することにより形成される、
２）インクジェットプリント部（Ｃ）は、第１ＵＶ加工部（Ｂ）上に、インクジェットプリント法により所定の文様状に付着形成される、
３）白色塗装部（Ｄ）は、インクジェットプリント部（Ｃ）およびそれが形成されていない第１ＵＶ加工部（Ｂ）上に、白色塗料を塗布することにより形成される、
ことを特徴とする装飾プレートに関する。
また、本発明は、透明樹脂基材（Ａ）上に、透明な第１ＵＶ加工部（Ｂ）／インクジェットプリント部（Ｃ）／白色塗装部（Ｄ）／第２ＵＶ加工部（Ｅ）の各層を形成してなる装飾プレートであって、
１）第１ＵＶ加工部（Ｂ）は、透明樹脂基材（Ａ）の裏面に紫外線硬化型塗料を塗布した後、紫外線照射下に硬化処理することにより形成される、
２）インクジェットプリント部（Ｃ）は、第１ＵＶ加工部（Ｂ）上に、インクジェットプリント法により所定の文様状に付着形成される、
３）白色塗装部（Ｄ）は、インクジェットプリント部（Ｃ）およびそれが形成されていない第１ＵＶ加工部（Ｂ）上に、白色塗料を塗布することにより形成される、
４）第２ＵＶ加工部（Ｅ）は、白色塗装部（Ｄ）上に紫外線硬化型塗料を塗布した後、紫外線照射下に硬化処理することにより形成される、
ことを特徴とする装飾プレートに関する。
以下に、本発明を図面を参照しながら各項目毎に詳細に説明する。
【００２０】
１．装飾プレートの構成
本発明の透明樹脂基材に装飾が施された装飾プレートは、透明樹脂基材／透明第１ＵＶ加工部（Ｂ）／インクジェットプリント部（Ｃ）／白色塗装部（Ｄ）をこの順で含有するものであり、その形態の一例を図１に示す。また、本発明の装飾プレートは、透明樹脂基材／透明第１ＵＶ加工部（Ｂ）／インクジェットプリント部（Ｃ）／白色塗装部（Ｄ）／第２ＵＶ加工部（Ｅ）をこの順で含有するものであり、その形態の一例を図２に示す。
【００２１】
本発明の装飾プレートにおいては、上述の各部の層以外に、従来公知の各種の層を、用途に応じて適宜追加しても良い。
例えば、各部の層の接着力強化のために、公知のプライマー層部を介在させたり、各部の層に公知の易接着処理を施したりしても良い。
以下、これら図面で例示する構成の各部について説明する。
【００２２】
（１）透明樹脂基材（Ａ）
本発明において使用する透明樹脂基材（Ａ）は、プラスチック等の合成樹脂によって構成され、目的の装飾プレートの形状により種々の形状をなすものである。透明樹脂基材（Ａ）の表面、裏面は、目的に応じて適宜決定することができる。本発明において、「透明」とは、透明または半透明を意味する。透明樹脂基材は、基材が透明となる合成樹脂であれば着色が合っても良く、通常用いられているものを目的に応じて特に制限なく用いることができる。例としては、ポリカーボネート、ポリアクリレート、ポリスチレン、ポリエステル、変性ポリフェニレンエーテル、アクリル樹脂、アクリロニトリル・ブタジエン・スチレン共重合体（ＡＢＳ）、ポリアミド、ポリエチレン、ポリプロピレン、またはこれらの２種以上からなるポリマーアロイ等の、熱硬化性樹脂又は熱可塑性樹脂を用いることができる。特に、高い透明性が必要とされる場合には、ポリカーボネート、アクリル樹脂、ＡＢＳ樹脂が好適に用いられ、装飾プレートが、携帯電話若しくはＰＨＳの外装パネル用又は液晶画面の保護プレート用である場合には、透明性が高いこと、機械強度、衝撃強さ及び耐熱性が強いこと、剛性が大きいこと、及び成形精度が良いことなどから、ポリカーボネートであることが好ましい。
【００２３】
（２）第１ＵＶ加工部（Ｂ）
本発明の装飾プレートにおいては、透明樹脂基材の裏面に紫外線硬化型塗料を塗布することにより構成され、透明である第１ＵＶ加工部（Ｂ）が設けられる。
第１ＵＶ加工部は、通常、紫外線を照射することにより硬化する紫外線硬化型塗料を塗布することにより構成されるが、加工後透明であることが必要である。透明であり、インクジェットプリント部（Ｃ）による装飾が視認できるものであれば、着色されていてもかまわない。通常用いられているものを目的に応じて用いることができる。
一般に、紫外線硬化型塗料は、重合性二重結合を有するアクリル系オリゴマー、重合性アクリル系モノマー、及び光重合開始剤を必須成分とし、当該成分に溶剤（有機溶剤や水）、顔料（ツヤ消し剤）、添加剤（重合禁止剤、消泡剤、レベリング剤）を混入して構成される。これらは透明樹脂基材の材質等に応じて、好適なものを選択すればよい。
【００２４】
第１ＵＶ加工部は、透明基材の裏面に紫外線硬化型塗料を塗布した後、乾燥し、硬化することにより形成することができる。乾燥は大気中、１８〜２５℃で７〜１３分保持することにより行うことができる。
【００２５】
第１ＵＶ加工部（Ｂ）は、透明樹脂基材に下塗りを介して紫外線硬化型塗料を塗布するといった構成であっても良い。この場合、下塗りには公知のものを用いることができるが、インクジェットプリント部（Ｃ）による装飾の視認を妨げるものでないことが必要である。
【００２６】
（３）インクジェットプリント部（Ｃ）
本発明においては、第１ＵＶ加工部（Ｂ）の上層に、インクジェットプリントによる装飾により構成されるインクジェットプリント部（Ｃ）が設けられる。このインクジェットプリント部は、透明樹脂基材を表面から見た場合に、透けて見ることができる装飾となるものである。
【００２７】
インクジェットプリントの方法としては、第１ＵＶ加工部上にプリントが可能であるものであれば特に制限なく用いることができる。例えば、コンピュータにより事前に作成したカラー画像を、第１ＵＶ加工部の上層に、その画像をカラーインクジェットプリンターで複数の色の塗料を塗布してカラー画像塗布層を形成することができる。
【００２８】
インクジェットプリントに用いられる有色塗料としては、通常用いられているものを目的に応じて用いることができる。一般に、具体的には、ポリビニルブチラール樹脂、ウレタン樹脂、エポキシ樹脂、メチルアクリレート樹脂などの少なくとも１つの樹脂と、ＣａＯ、ＭｎＯ、ＣｄＳ、Ｃｒ２Ｏ３またはＦｅ２Ｏ３などの顔料とを含有する塗料を用いることができる
【００２９】
インクジェットプリント部は、一度のプリントで複数色の装飾を行うことができるものであるが、一度のプリントのみならず、二度以上のプリントにより構成することもできる。これにより、例えば写真画像又はグラデーション画像等の、より複雑で繊細な装飾を施すことが可能となる。
【００３０】
（４）白色塗装部（Ｄ）
本発明の装飾プレートにおいては、インクジェットプリント部（Ｃ）およびそれが形成されていない第１ＵＶ加工部（Ｂ）上に、白色塗料を塗布することにより形成される白色塗装部（Ｄ）が設けられる。
白色塗装部（Ｄ）は、通常用いられている塗料を目的に応じて用いることができ、スプレー噴霧塗布法又はローリング塗布法等の通常の塗布方法により形成することができる。白色塗装部（Ｄ）の形成後の面が平坦である必要はないが、場合によっては、平坦であることが好ましい。
本発明においては、詳しい機構は不明であるが、インクジェットプリント部（Ｃ）による装飾を透明樹脂基板表面から視認した場合に、特に装飾が鮮明に優れた発色で視認することができること、及び、インクジェットプリント部（Ｃ）が形成されている部分と形成されていない部分との段差をなくし、白色塗装部（Ｄ）形成後の面が平坦となることから、白色塗装部（Ｄ）をシルクプリントにより形成することが好ましい。
【００３１】
また、白色塗装部（Ｂ）は、紫外線硬化型塗料を塗布することによる白色塗装としても良い。この場合、紫外線硬化型塗料によるインクジェットプリント部（Ｃ）の保護層と、インクジェットプリント部（Ｃ）による装飾を鮮明に発色良く見せる効果を奏する層との効果を一層で兼ね備えることができるため、工程数の減少及びコスト減につながり、好適である。また、インクジェットプリント部（Ｃ）が形成されている部分と形成されていない部分との段差をなくし、白色塗装部（Ｄ）形成後の面が平坦となることから、白色塗装部（Ｄ）を紫外線硬化型塗料を塗布することによって形成することが好ましい。
【００３２】
（ｉ）シルクプリント
シルクプリントの方法としては、一般に行われているプリント方法を採用することができる。シルクプリントのインクとしては、本発明の効果を損なわないものであれば、一般に用いられる水性インク及び油性ラバーインク等を用いることができる。付着の理由により特に油性インクを用いることが好ましい。インク色は、本発明の効果を損なわないものであれば、さまざまな白色度のインクを用いることができる。
【００３３】
（ｉｉ）紫外線硬化型塗料の塗布
紫外線硬化型塗料の塗布方法としては、一般に行われている塗布方法を採用することができるが、本発明においては、乾燥は紫外線を３〜５分照射することにより行うことができる。
【００３４】
紫外線硬化型塗料としては、硬化後の塗膜が白色であれば、一般に用いられる紫外線硬化型塗料を用いることができる。特に、鮮明さを表現するために特に明るい白色塗料を用いることが好ましい。
【００３５】
（５）第２ＵＶ加工部（Ｅ）
本発明の装飾プレートにおいては、白色塗装部（Ｄ）の上層に、さらに第２ＵＶ加工部（Ｅ）を設けた構成とすることもできる。特に、白色塗装部（Ｄ）がシルクプリントにより形成されたものである場合には、塗装部の強度をあげ、傷がつかないようにするため、第２ＵＶ加工部を設けることが好ましい。
具体的には、第２ＵＶ加工部は、第１ＵＶ加工部と同様の手法によって形成することができるが、第１ＵＶ加工部が透明であることが必要であるのに対して、第２ＵＶ加工部は、透明である必要はない。
【００３６】
２．装飾プレートの製造方法
本発明の装飾プレートは、透明樹脂基材（Ａ）上に、透明な第１ＵＶ加工部（Ｂ）／インクジェットプリント部（Ｃ）／白色塗装部（Ｄ）の各層を、この順に形成することにより製造される。
また、本発明の装飾プレートは、透明樹脂基材（Ａ）上に、透明な第１ＵＶ加工部（Ｂ）／インクジェットプリント部（Ｃ）／白色塗装部（Ｄ）／第２ＵＶ加工部（Ｅ）の各層をこの順に形成することにより製造される。
【００３７】
（１）第１ＵＶ加工部（Ｂ）加工工程
本発明の装飾プレートの製造における第１ＵＶ加工部（Ｂ）加工工程は、透明樹脂基材（Ａ）の裏面に、紫外線硬化型塗料を塗布して硬化させ、透明の塗膜を形成するものである。透明樹脂基材（Ａ）、紫外線硬化型塗料、及び塗膜の形成方法等の詳細については、前述したとおりである。
【００３８】
（２）インクジェットプリント部（Ｃ）プリント工程
第１ＵＶ加工部（Ｂ）加工工程により、第１ＵＶ加工部（Ｂ）が形成された後、その上層に、インクジェットプリントにより装飾を行うインクジェットプリント部（Ｃ）プリント工程を行う。前述したように、インクジェットプリントは、１回のみならず２回以上行ってもよい。また、インクジェットプリント方法等の詳細については、前述したとおりである。
【００３９】
（３）白色塗装部（Ｄ）塗装工程
インクジェットプリント部（Ｃ）プリント工程によりインクジェットプリント部（Ｃ）が形成された後、その上層に白色塗装部（Ｄ）塗装工程を行う。前述したように、本工程は、特に、（ｉ）シルクプリント又は（ｉｉ）紫外線硬化型塗料の塗布により行うことが
好ましい。それぞれの方法等の詳細については前述したとおりである。
【００４０】
（４）第２ＵＶ加工部（Ｅ）加工工程
白色塗装部（Ｄ）塗装工程により白色塗装部（Ｄ）が形成された後、第２ＵＶ加工部（Ｅ）加工工程を行ってもよい。特に、白色塗装部（Ｄ）塗装工程がシルクプリントを含む工程の場合は、本工程を行うことが塗装部の強度をあげ、傷がつかないようにするため、第２ＵＶ加工部を設けることが好ましい。
【００４１】
（５）その他の工程
これらの工程に加えて、本発明の効果を損なわない限りにおいて、接着力強化及び発色等のために、公知の工程を加えることができる。例えば、具体的には、第１ＵＶ加工部（Ｂ）加工工程及び第２ＵＶ加工部（Ｅ）加工工程のそれぞれ直前に、接着力強化のために行うプライマー塗布工程又はインクジェットプリント部（Ｃ）プリント工程の後に行う乾燥工程等が追加可能である。また第１ＵＶ加工部（Ｂ）は透明インク塗装でも良い。
【００４２】
３．装飾プレートの特徴
本発明の装飾プレートは、透明樹脂基材の裏面に施したインクジェットプリントによる装飾を視認した場合に、従来のものよりも、装飾が、鮮明で発色が優れ、耐久性が高いものであることを特徴とする。
【００４３】
（１）鮮明さ
本発明の装飾プレートは、装飾が鮮明で発色が優れたものであることを特徴とする装飾プレートである。
【００４４】
（２）耐久性
本発明の装飾プレートは、装飾プレートに含まれるインクジェットプリントによる装飾の耐久性が優れたものであることを特徴とする装飾プレートである。
【００４５】
４．装飾プレートの用途
本発明による装飾プレートは前述のような特徴を有することから、これまで得られなかった繊細で発色の優れた装飾を簡便なインクジェットプリントにより行うことができるものである。したがって、携帯端末用、端末機器のパネル用等に有用である。
特に、本発明により、近年需要が高まっているデザイン性の高い装飾を簡便に行うことができるため、繊細で耐久性の高い装飾を求められる携帯電話又はＰＨＳの外装パネル用や、液晶画面の保護プレート用に、好適に用いることができ、この分野において極めて有用なものである。
【実施例】
【００４６】
以下、実施例により本発明を具体的に説明するが、本発明はその要旨を逸脱しない限りこれら実施例によって制約をうけるものではない。なお、実施例および比較例において、物性の評価は次の通りである。
【００４７】
１．測定法
（１）鮮明さ
作成した装飾プレートをそれぞれ１０人が目視し、模様が認識しやすく極めて鮮明で発色が良いと感じたものをＡ、模様も認識できず鮮明で無く発色も悪いと感じたものをＢとして評価し、Ａが８人以上であったものを◎、Ａが３人以上であったものを○、Ａが０人であったものを×とした。
（２）耐久性
表１に示す、以下の（ａ）〜（ｈ）の８項目のテストを実施し、６項目以上のテストに合格したものを◎、２項目以上のテストに合格したものを○、すべて不合格のものを×とした。
【００４８】
【表１】
2009034958.tif 000003
【００４９】
２．材料
透明樹脂基板（Ａ）として、８０ｍｍ×５０ｍｍ×２ｍｍのポリカーボネート板を携帯電話液晶パネル用透明樹脂基板とした。
【００５０】
３．装飾プレートの作成
（実施例１）
透明樹脂基板（Ａ）として２．に記載したプレート形状の携帯電話液晶パネル用透明樹脂基板を使用し、これの裏面に、第１ＵＶ加工部（Ｂ）として紫外線硬化型塗料を用いて乾燥後塗布した。次に、第１ＵＶ加工部（Ｂ）の上層に、インクジェットプリンタにより、風景画像をプリントした、インクジェットプリント部（Ｃ）を作成した。７分程度放置し乾燥させた後に、インクジェットプリント部（Ｃ）の上層に、シルクプリント法により、乾燥後白色塗装部（Ｄ）を作成した。５分程度放置し乾燥させた後のものを、完成品とした。この携帯電話液晶パネル用透明樹脂基板について評価を行った。評価結果を表２に示す。
【００５１】
（実施例２）
白色塗装部（Ｄ）を、硬化後白色となる紫外線硬化型塗料によって作成した以外は実施例１と同様にして携帯電話液晶パネル用透明樹脂基板を作成した。この携帯電話液晶パネル用透明樹脂基板について評価を行った。評価結果を表２に示す。
【００５２】
（実施例３）
白色塗装部（Ｄ）を作成し乾燥させた後、さらに、この上層に、硬化後透明となるクリア型紫外線硬化型塗料を塗布し、第２ＵＶ加工部（Ｅ）を形成した以外は、実施例１と同様にして携帯電話液晶パネル用透明樹脂基板を作成した。この携帯電話液晶パネル用透明樹脂基板について評価を行った。評価結果を表２に示す。
【００５３】
（実施例４）
透明樹脂基材をアクリル板によるものとした以外は、実施例１と同様にして携帯電話液晶パネル用透明樹脂基板を作成した。この携帯電話液晶パネル用透明樹脂基板について評価を行った。評価結果を表２に示す。
【００５４】
（比較例１）
白色塗装部（Ｄ）を形成しない以外は実施例１と同様にしてパネル用透明樹脂基板を作成した。この携帯電話液晶パネル用透明樹脂基板について評価を行った。評価結果を表２に示す。
【００５５】
（比較例２）
第１ＵＶ塗装部（Ｂ）を形成しない以外は実施例１と同様にして携帯電話液晶パネル用透明樹脂基板を作成した。この携帯電話液晶パネル用透明樹脂基板について評価を行った。評価結果を表２に示す。
【００５６】
（比較例３）
第２ＵＶ加工部（Ｅ）を形成しない以外は、実施例３と同様にして携帯電話液晶パネル用透明樹脂基板を作成した。この携帯電話液晶パネル用透明樹脂基板について評価を行った。評価結果を表２に示す。
【００５７】
【表２】
2009034958.tif 000004
【００５８】
４．携帯電話用外装パネルの実装と評価
実施例１〜４で得られた携帯電話液晶パネル用透明樹脂基板を作成した後、携帯電話用外装パネルとして、実装したところ、インクジェットプリントによる装飾が鮮明に発色良く現れ、１２ヶ月間通常に使用しても、装飾の色あせ等が見られず、鮮明で発色が良い装飾が維持された。したがって、本発明による装飾プレートを携帯電話用外装パネルとして用いた際に、有効であることが示された。
【００５９】
表２の結果から、実施例１と比較例１とを対比すると、本発明の特定事項である、白色塗装部（Ｄ）が形成されていない点で本発明の範囲を満たさない比較例では、装飾の鮮明さが極端に劣るのに比べて、実施例による装飾プレートは、装飾の鮮明さ及び耐久性の両者ともに良好な装飾プレートが得られた。
【００６０】
また、表２の結果から、ＵＶ塗装（ＵＶ加工）をしたものである実施例２及び実施例３からも分かるように、ＵＶ加工を行ったものはより耐久性が維持される装飾プレートが得られた。
【産業上の利用可能性】
【００６１】
本発明による装飾プレートにより、透明な樹脂基材に、鮮明で発色が優れ、耐久性が高い、インクジェットプリントによる装飾が施された装飾プレートを経済的に提供できることから、高度なデザイン性が求められる分野に特に好適に用いることができ、その工業的価値は極めて大きい。
【図面の簡単な説明】
【００６２】
【図１】本発明の装飾プレートの実施形態の一例を示した説明図である。
【図２】本発明の装飾プレートの実施形態の一例を示した説明図である。
【図１】
2009034958.tif 000005
【図２】
2009034958.tif 000006